(57)【特許請求の範囲】
【請求項１】
制御部を備えた配賦処理装置であって、
前記制御部は、
複数の案件の担当に対し所定の期間に発生する間接費を、前記所定の期間中に各案件に費やした時間に応じて各案件に配賦する第一の配賦処理手段と、
前記担当に対し前記所定の期間を複数含む任意の期間に発生する累計間接費を、前記所定の期間毎の前記間接費を集計することで算出すると共に、前記任意の期間中に各案件に費やした累計時間を、前記所定の期間毎の前記時間を案件毎に集計することで算出し、そして、当該算出した累計間接費を、当該算出した案件毎の累計時間に応じて各案件に配賦する第二の配賦処理手段と、
前記任意の期間に各案件に配賦する累計配賦金額を、前記所定の期間毎に前記第一の配賦処理手段が配賦した配賦金額を案件毎に集計することで算出し、当該算出した累計配賦金額と前記第二の配賦処理手段が配賦した配賦金額との差額を案件毎に算出する差額算出手段と、
前記差額算出手段が算出した案件毎の差額に基づいて、案件間の振替仕訳を作成する仕訳作成手段と、
を備えたこと、
を特徴とする配賦処理装置。
【請求項２】
前記担当は、複数の案件と紐付く部門であることを特徴とする、請求項１に記載の配賦処理装置。
【請求項３】
前記所定の期間は、月を単位とする期間であることを特徴とする、請求項１または２に記載の配賦処理装置。
【請求項４】
制御部を備えた情報処理装置で実行される配賦処理方法であって、
前記制御部で実行される、
複数の案件の担当に対し所定の期間に発生する間接費を、前記所定の期間中に各案件に費やした時間に応じて各案件に配賦する第一の配賦処理ステップと、
前記担当に対し前記所定の期間を複数含む任意の期間に発生する累計間接費を、前記所定の期間毎の前記間接費を集計することで算出すると共に、前記任意の期間中に各案件に費やした累計時間を、前記所定の期間毎の前記時間を案件毎に集計することで算出し、そして、当該算出した累計間接費を、当該算出した案件毎の累計時間に応じて各案件に配賦する第二の配賦処理ステップと、
前記任意の期間に各案件に配賦する累計配賦金額を、前記所定の期間毎に前記第一の配賦処理ステップで配賦した配賦金額を案件毎に集計することで算出し、当該算出した累計配賦金額と前記第二の配賦処理ステップで配賦した配賦金額との差額を案件毎に算出する差額算出ステップと、
前記差額算出ステップで算出した案件毎の差額に基づいて、案件間の振替仕訳を作成する仕訳作成ステップと、
を含むこと、
を特徴とする配賦処理方法。
【請求項５】
制御部を備えた情報処理装置に実行させるための配賦処理プログラムであって、
前記制御部に実行させるための、
複数の案件の担当に対し所定の期間に発生する間接費を、前記所定の期間中に各案件に費やした時間に応じて各案件に配賦する第一の配賦処理ステップと、
前記担当に対し前記所定の期間を複数含む任意の期間に発生する累計間接費を、前記所定の期間毎の前記間接費を集計することで算出すると共に、前記任意の期間中に各案件に費やした累計時間を、前記所定の期間毎の前記時間を案件毎に集計することで算出し、そして、当該算出した累計間接費を、当該算出した案件毎の累計時間に応じて各案件に配賦する第二の配賦処理ステップと、
前記任意の期間に各案件に配賦する累計配賦金額を、前記所定の期間毎に前記第一の配賦処理ステップで配賦した配賦金額を案件毎に集計することで算出し、当該算出した累計配賦金額と前記第二の配賦処理ステップで配賦した配賦金額との差額を案件毎に算出する差額算出ステップと、
前記差額算出ステップで算出した案件毎の差額に基づいて、案件間の振替仕訳を作成する仕訳作成ステップと、
を含むこと、
を特徴とする配賦処理プログラム。
【発明の詳細な説明】
【技術分野】
【０００１】
本発明は、配賦処理装置、配賦処理方法、及び、配賦処理プログラムに関する。
【背景技術】
【０００２】
案件収支管理を行っている企業では、案件別収支を月次決算で捉える為、毎月各案件の部門間接費を各案件の日報時間比率に応じて配賦する処理を行っている。
【０００３】
なお、先行技術文献として、特許文献１が挙げられる。特許文献１には、広告を行う団体が広告の代価として支払う料金の科目を決定する際に、利用実態に応じて配賦した料金を所定の比率で再配賦した料金を用いるとの記載がある（請求項３等参照）。
【先行技術文献】
【特許文献】
【０００４】
【特許文献１】特開２００３−５８８１０号公報
【発明の概要】
【発明が解決しようとする課題】
【０００５】
しかしながら、毎月ほぼ同額の部門間接費を計上している状況において、繁忙期と閑散期で案件の工数乖離が大きい場合、工数比率に応じた配賦金額の割合も大きくなるので、各案件に対して不公平な按分結果となる。それ故、企業では、正確な案件別収支を捉えることが困難となる。例えば、製造部門に紐付く３つの案件（案件Ａ、案件Ｂ及び案件Ｃ）が存在し、且つ、４月から６月にかけて毎月定額で１８，０００円の部門間接費が発生し、且つ、４月（閑散期）の全案件の合計作業時間が６月（繁盛期）のそれより少なく（ここでは４月の作業時間を１００とし６月の作業時間を２００とする）、且つ、４月から６月にかけての累計作業時間が案件Ａと案件Ｃで同じである（ここでは１２０とする）という状況（図１参照）では、４月と６月の部門間接費の時間単価（４月は１８０円で６月は９０円）を比べると、４月と６月で２倍という大きな乖離が発生することになる。そして、案件Ａと案件Ｃの累計作業時間は同じにもかかわらず、案件Ａでは単価の高い閑散期に４０時間の作業実績が発生しているので、案件Ａと案件Ｃで４月から６月にかけての累計配賦金額に大きな差が発生してしまう。そのため、作業の実施期による案件の偏り及び不公平感が高く、故に、企業では正確な案件別収支を捉えることが困難となる。
【０００６】
本発明は、上記問題点に鑑みてなされたものであって、正確な案件別収支を捉えるのに役立つ情報を提供することが可能となる配賦処理装置、配賦処理方法及び配賦処理プログラムを提供することを目的とする。
【課題を解決するための手段】
【０００７】
上述した課題を解決し、目的を達成するために、本発明に係る配賦処理装置は、制御部を備えた配賦処理装置であって、前記制御部は、複数の案件の担当に対し所定の期間に発生する間接費を、前記所定の期間中に各案件に費やした時間に応じて各案件に配賦する第一の配賦処理手段と、前記担当に対し前記所定の期間を複数含む任意の期間に発生する累計間接費を、前記所定の期間毎の前記間接費を集計することで算出すると共に、前記任意の期間中に各案件に費やした累計時間を、前記所定の期間毎の前記時間を案件毎に集計することで算出し、そして、当該算出した累計間接費を、当該算出した案件毎の累計時間に応じて各案件に配賦する第二の配賦処理手段と、を備えたこと、を特徴とする。
【０００８】
また、本発明に係る配賦処理装置は、前記配賦処理装置において、前記制御部は、前記任意の期間に各案件に配賦する累計配賦金額を、前記所定の期間毎に前記第一の配賦処理手段が配賦した配賦金額を案件毎に集計することで算出し、当該算出した累計配賦金額と前記第二の配賦処理手段が配賦した配賦金額との差額を案件毎に算出する差額算出手段と、前記差額算出手段が算出した案件毎の差額に基づいて、案件間の振替仕訳を作成する仕訳作成手段と、を更に備えたこと、を特徴とする。
【０００９】
また、本発明に係る配賦処理装置は、前記配賦処理装置において、前記担当は、複数の案件と紐付く部門であることを特徴とする。
【００１０】
また、本発明に係る配賦処理装置は、前記配賦処理装置において、前記所定の期間は、月を単位とする期間であることを特徴とする。
【００１１】
また、本発明に係る配賦処理方法は、制御部を備えた情報処理装置で実行される配賦処理方法であって、前記制御部で実行される、複数の案件の担当に対し所定の期間に発生する間接費を、前記所定の期間中に各案件に費やした時間に応じて各案件に配賦する第一の配賦処理ステップと、前記担当に対し前記所定の期間を複数含む任意の期間に発生する累計間接費を、前記所定の期間毎の前記間接費を集計することで算出すると共に、前記任意の期間中に各案件に費やした累計時間を、前記所定の期間毎の前記時間を案件毎に集計することで算出し、そして、当該算出した累計間接費を、当該算出した案件毎の累計時間に応じて各案件に配賦する第二の配賦処理ステップと、を含むこと、を特徴とする。
【００１２】
また、本発明に係る配賦処理プログラムは、制御部を備えた情報処理装置に実行させるための配賦処理プログラムであって、前記制御部に実行させるための、複数の案件の担当に対し所定の期間に発生する間接費を、前記所定の期間中に各案件に費やした時間に応じて各案件に配賦する第一の配賦処理ステップと、前記担当に対し前記所定の期間を複数含む任意の期間に発生する累計間接費を、前記所定の期間毎の前記間接費を集計することで算出すると共に、前記任意の期間中に各案件に費やした累計時間を、前記所定の期間毎の前記時間を案件毎に集計することで算出し、そして、当該算出した累計間接費を、当該算出した案件毎の累計時間に応じて各案件に配賦する第二の配賦処理ステップと、を含むこと、を特徴とする。
【発明の効果】
【００１３】
本発明によれば、正確な案件別収支を捉えるのに役立つ情報を提供することが可能となる配賦処理装置を提供することができるという効果を奏する。
【図面の簡単な説明】
【００１４】
【図１】図１は、配賦処理の一例を示す図である。
【図２】図２は、配賦処理装置１００の構成の一例を示すブロック図である。
【図３】図３は、本実施形態における配賦処理装置１００が実行するメインの処理の一例を示すフローチャートである。
【図４】図４は、配賦データテーブル１０６ａの一例を示す図である。
【図５】図５は、配賦仕訳及び配賦差額仕訳の一例を示す図である。
【図６】図６は、案件の月別推移のＰ／Ｌの一例を示す図である。
【発明を実施するための形態】
【００１５】
本発明の実施形態を図面に基づいて詳細に説明する。なお、本発明は本実施形態により限定されるものではない。
【００１６】
［１．概要］
案件収支を見る際、複数の案件（プロジェクト）を担当する部門に発生する間接費（部門間接費）を各種比率（例えば、売上金額比率や日報時間（作業時間）比率など）で各案件へ配賦する処理（配賦処理）を行っている。ここで、日報時間比率に基づいて配賦処理を行う場合、繁忙期に作業実績が発生したプロジェクトに対する時間単価および配賦金額が小さくなり、逆に、閑散期に作業実績が発生したプロジェクトに対する時間単価および配賦金額が高くなることがある。
【００１７】
具体的には、「製造部門」に紐づく案件が３つ存在した場合、案件収支管理を支援する標準的なシステム（アプリケーションソフトウェア）では、各月の作業時間比に応じて各案件への配賦処理が行われる。毎月部門経費（部門間接費）が定額で￥１８，０００発生し、且つ、４月（閑散期）の合計作業時間が６月のそれに比べて少ない図１に示すようなケースでは、部門間接費の時間単価（４月は「￥１８０」、６月は「￥９０」）を比べると、４月は６月に比べ２倍の乖離が発生してしまうことになる。
更に、各案件の配賦結果を見てみると、案件Ａと案件Ｃの４月から６月までの累計作業時間が１２０と同一であるにも関わらず、案件Ａは配賦単価（時間単価）が高い４月の閑散期に作業実績が発生している為、案件ごとの累計配賦金額に大きな差が発生してしまっている（図１の塗りつぶし部分参照）。このような状態が発生すると、実施期間による案件の偏り・不公平感が高く、正確な案件収支を捉えられない。
【００１８】
そこで、本実施形態では、上述したケースで発生してしまう累計配賦金額の差を均すための新たな仕組みである累計配賦処理（再配賦処理）を実施する。累計配賦処理では、４月から６月までの累計期間（本発明の「任意の期間」に相当）の累計部門間接費を当該累計期間における累計作業時間で除することによって当該累計期間の配賦単価を求め、各案件の累計作業時間から各案件の本来の再配賦金額を求める。その上で、累計配賦処理では、案件毎の配賦差額として各単月で求めた配賦金額（この金額は本実施形態における単月配賦処理を実施して得られたものである）と本来の再配賦金額の差額（配賦差額）を求める。これにより、単月配賦と累計配賦の両方を組み合わせることで、各月のＰ／Ｌを捉えながらも任意の期間でのＰ／Ｌを捉えることが出来る。以下、具体的な構成および動作について説明する。
【００１９】
［２．構成］
本実施形態に係る配賦処理装置の構成の一例について、図２を参照して説明する。図２は、配賦処理装置１００の構成の一例を示すブロック図である。
【００２０】
配賦処理装置１００は、市販のデスクトップ型パーソナルコンピュータである。なお、配賦処理装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２１】
配賦処理装置１００は、制御部１０２と通信インターフェース部１０４と記憶部１０６と入出力インターフェース部１０８と、を備えている。配賦処理装置１００が備えている各部は、任意の通信路を介して通信可能に接続されている。
【００２２】
通信インターフェース部１０４は、ルータ等の通信装置及び専用線等の有線又は無線の通信回線を介して、配賦処理装置１００をネットワーク３００に通信可能に接続する。通信インターフェース部１０４は、他の装置と通信回線を介してデータを通信する機能を有する。ここで、ネットワーク３００は、配賦処理装置１００とサーバ２００とを相互に通信可能に接続する機能を有し、例えばインターネットやＬＡＮ（Ｌｏｃａｌ  Ａｒｅａ  Ｎｅｔｗｏｒｋ）等である。
【００２３】
記憶部１０６には、各種のデータベース、テーブル、及びファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、及び光ディスク等を用いることができる。ここで、記憶部１０６は、配賦データテーブル１０６ａと、仕訳データテーブル１０６ｂとを備えている。
【００２４】
配賦データテーブル１０６ａは、所定の期間（例えば、月を単位とする期間）における案件ごとの配賦処理に関する配賦情報と、所定の期間を複数含む任意の期間において案件ごとに行われた、累計の配賦処理に関する累計配賦情報と、任意の期間における案件ごとの再配賦処理に関する再配賦情報と、再配賦処理にて算出された案件ごとの再配賦金額から、任意の期間における配賦処理にて算出された案件ごとの累計の配賦金額（累計配賦金額）を差し引いた配賦差額に関する配賦差額情報と、を管理するテーブルである。
配賦情報は、例えば、所定の期間中に各案件に費やした作業時間と、所定の期間中に全案件に費やした合計作業時間と、所定の期間に部門に発生する間接費（例えば、部門間接費）と、案件に対する間接費の時間単価（配賦金額を算出するための時間単価）と、所定の期間における各案件の配賦金額と、などを含むものである。
累計配賦情報は、例えば、任意の期間中に全案件に費やした累計作業時間と、任意の期間に発生した累計間接費と、任意の期間中に各案件に費やした累計作業時間と、任意の期間における各案件の累計配賦金額と、などを含むものである。
再配賦情報は、例えば、任意の期間中に全案件に費やした累計作業時間と、累計間接費と、案件に対する間接費の時間単価（再配賦金額を算出するための時間単価）と、任意の期間中に各案件に費やした累計作業時間と、任意の期間における各案件の再配賦金額と、などを含むものである。
配賦差額情報は、例えば、配賦差額（例えば、正の金額、負の金額など）などを含むものである。
【００２５】
仕訳データテーブル１０６ｂは、仕訳作成部１０２ｇが作成した仕訳情報と、振替仕訳情報と、を管理するテーブルである。
仕訳情報は、例えば、借方の情報として、勘定科目と、配賦金額と、部門と、案件に関する情報と、を含み、貸方の情報として、勘定科目と、間接費と、部門に関する情報と、を含むものである。
振替仕訳情報は、例えば、借方の情報として、勘定科目と、正の金額の配賦差額と、案件を担当する部門と、案件に関する情報と、を含み、貸方の情報として、勘定科目と、負の金額の配賦差額と、案件を担当する部門と、案件に関する情報と、を含むものである。
【００２６】
入出力インターフェース部１０８には、入力装置１１２及び出力装置１１４が接続されている。出力装置１１４には、モニタ（家庭用テレビを含む）の他、スピーカやプリンタを用いることができる。入力装置１１２には、キーボード、マウス、及びマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２７】
制御部１０２は、配賦処理装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。制御部１０２は、機能概念的に、合計作業時間算出部１０２ａと、配賦金額算出部１０２ｂと、累計作業時間算出部１０２ｃと、累計間接費算出部１０２ｄと、再配賦金額算出部１０２ｅと、差額計上部１０２ｆと、仕訳作成部１０２ｇとを備えている。なお、合計作業時間算出部１０２ａと、配賦金額算出部１０２ｂとは、本発明の第一の配賦処理手段に相当する。また、累計作業時間算出部１０２ｃと、累計間接費算出部１０２ｄと、再配賦金額算出部１０２ｅとは、本発明の第二の配賦処理手段に相当する。また、差額計上部１０２ｆは、本発明の差額算出手段を含むものである。また、仕訳作成部１０２ｇは、本発明の仕訳作成手段に相当する。
【００２８】
合計作業時間算出部１０２ａは、所定の期間中に全案件に費やした合計作業時間を、配賦データテーブル１０６ａに格納されている、所定の期間中に各案件に費やした作業時間を集計することで算出し、算出した合計作業時間を配賦データテーブル１０６ａに格納する。合計作業時間算出部１０２ａが実施する処理については、以下の［３．処理の具体例］にて詳細に説明する。
【００２９】
配賦金額算出部１０２ｂは、合計作業時間算出部１０２ａが算出した合計作業時間と、配賦データテーブル１０６ａに格納されている、所定の期間で発生した間接費と、配賦データテーブル１０６ａに格納されている、所定の期間中に各案件に費やした作業時間とに基づいて、作業時間に応じた各案件の配賦金額を算出し、算出した配賦金額を配賦データテーブル１０６ａに格納する。配賦金額算出部１０２ｂが実施する処理については、以下の［３．処理の具体例］にて詳細に説明する。
【００３０】
累計作業時間算出部１０２ｃは、任意の期間中に各案件に費やした累計作業時間と、任意の期間中に全案件に費やした累計作業時間とを、配賦データテーブル１０６ａに格納されている、所定の期間中に各案件に費やした作業時間を集計することで算出し、算出した各案件に費やした累計作業時間と、全案件に費やした累計作業時間とを配賦データテーブル１０６ａに格納する。累計作業時間算出部１０２ｃが実施する処理については、以下の［３．処理の具体例］にて詳細に説明する。
【００３１】
累計間接費算出部１０２ｄは、任意の期間に発生した累計間接費を、配賦データテーブル１０６ａに格納されている、所定の期間に発生した間接費を集計することで算出し、算出した累計間接費を配賦データテーブル１０６ａに格納する。累計間接費算出部１０２ｄが実施する処理については、以下の［３．処理の具体例］にて詳細に説明する。
【００３２】
再配賦金額算出部１０２ｅは、合計作業時間算出部１０２ａが算出した合計作業時間と、累計作業時間算出部１０２ｃが算出した、任意の期間中に各案件に費やした累計作業時間と、累計間接費算出部１０２ｄが算出した累計間接費とに基づいて、上記累計作業時間に応じた再配賦金額を算出し、算出した再配賦金額を配賦データテーブル１０６ａに格納する。再配賦金額算出部１０２ｅが実施する処理については、以下の［３．処理の具体例］にて詳細に説明する。
【００３３】
差額計上部１０２ｆは、任意の期間に発生した各案件の累計配賦金額を、配賦金額算出部１０２ｂが算出した配賦金額を集計することで算出し、算出した当該累計配賦金額を配賦データテーブル１０６ａに格納する。また、差額計上部１０２ｆは、再配賦金額算出部１０２ｅが算出した再配賦金額と、算出した上記累計配賦金額とに基づいて、再配賦金額と、累計配賦金額との配賦差額を算出し、算出した配賦差額を配賦データテーブル１０６ａに格納する。差額計上部１０２ｆが実施する処理については、以下の［３．処理の具体例］にて詳細に説明する。
【００３４】
仕訳作成部１０２ｇは、配賦金額算出部１０２ｂが算出した配賦金額に基づいて、当該配賦金額に関する仕訳（配賦仕訳）を作成し、作成した配賦仕訳を仕訳データテーブル１０６ｂに格納する。また、仕訳作成部１０２ｇは、差額計上部１０２ｆが算出した配賦差額に基づいて配賦差額に関する仕訳（配賦差額仕訳）を作成し、作成した配賦差額仕訳を仕訳データテーブル１０６ｂに格納する。仕訳作成部１０２ｇが実施する処理については、以下の［３．処理の具体例］にて詳細に説明する。
【００３５】
［３．処理の具体例］
本実施形態の具体例について、図３から図６を参照して説明する。図３は、本実施形態における配賦処理装置１００が実行するメインの処理の一例を示すフローチャートである。
【００３６】
なお、本説明では、所定の期間が月を単位とする期間として設定され、４月から６月が任意の期間と設定され、各月に各案件に費やした作業時間と、各月に発生した部門間接費（￥１８，０００）とが配賦データテーブル１０６ａに格納されていることを前提とする（図４参照）。
【００３７】
[ステップＳ１：各月の配賦処理]
本説明では、各月の配賦処理として、合計作業時間算出部１０２ａによる各月で全案件に費やした合計作業時間の算出、配賦金額算出部１０２ｂによる案件に対する部門間接費の時間単価及び各月における各案件の配賦金額の算出並びに仕訳作成部１０２ｇによる配賦仕訳の作成を行う。具体的には、合計作業時間算出部１０２ａは、配賦データテーブル１０６ａに格納されている、各月で各案件に費やした作業時間を参照して、合計作業時間を下記の通り算出し、算出した合計作業時間を配賦データテーブル１０６ａに格納する（図４参照）。
・４月の合計作業時間：１００（案件Ａの作業時間「４０」と、案件Ｂの作業時間「６０」とを足し合わせて算出したもの）
・５月の合計作業時間：１５０（案件Ａの作業時間「４０」と、案件Ｂの作業時間「７０」と、案件Ｃの作業時間「４０」とを足し合わせて算出したもの）
・６月の合計作業時間：２００（案件Ａの作業時間「４０」と、案件Ｂの作業時間「８０」と、案件Ｃの作業時間「８０」とを足し合わせて算出したもの）
【００３８】
また、配賦金額算出部１０２ｂは、配賦データテーブル１０６ａに格納されている、各月で各案件に費やした作業時間、各月に発生した部門間接費及び合計作業時間算出部１０２ａが算出した合計作業時間を参照して、案件に対する部門間接費の時間単価及び各月における各案件の配賦金額を下記の通り算出し、算出した時間単価及び配賦金額を配賦データテーブル１０６ａに格納する（図４参照）。
（各月の時間単価）
・４月の時間単価：￥１８０（４月の部門間接費「￥１８，０００」を４月の合計作業時間「１００」で除することによって算出したもの）
・５月の時間単価：￥１２０（５月の部門間接費「￥１８，０００」を５月の合計作業時間「１５０」で除することによって算出したもの）
・６月の時間単価：￥９０（６月の部門間接費「￥１８，０００」を６月の合計作業時間「２００」で除することによって算出したもの）
（４月の各案件の配賦金額）
・案件Ａの配賦金額：￥７，２００（４月の時間単価「￥１８０」に４月の案件Ａの作業時間「４０」を掛けて算出したもの）
・案件Ｂの配賦金額：￥１０，８００（４月の時間単価「￥１８０」に４月の案件Ｂの作業時間「６０」を掛けて算出したもの）
（５月の各案件の配賦金額）
・案件Ａの配賦金額：￥４，８００（５月の時間単価「￥１２０」に５月の案件Ａの作業時間「４０」を掛けて算出したもの）
・案件Ｂの配賦金額：￥８，４００（５月の時間単価「￥１２０」に５月の案件Ｂの作業時間「７０」を掛けて算出したもの）
・案件Ｃの配賦金額：￥４，８００（５月の時間単価「￥１２０」に５月の案件Ｃの作業時間「４０」を掛けて算出したもの）
（６月の各案件の配賦金額）
・案件Ａの配賦金額：￥３，６００（６月の時間単価「￥９０」に６月の案件Ａの作業時間「４０」を掛けて算出したもの）
・案件Ｂの配賦金額：￥７，２００（６月の時間単価「￥９０」に６月の案件Ｂの作業時間「８０」を掛けて算出したもの）
・案件Ｃの配賦金額：￥７，２００（６月の時間単価「￥９０」に６月の案件Ｃの作業時間「８０」を掛けて算出したもの）
【００３９】
また、仕訳作成部１０２ｇは、配賦データテーブル１０６ａに格納されている、配賦金額算出部１０２ｂが算出した配賦金額を参照して、当該配賦金額に関する配賦仕訳を作成し、作成した当該配賦仕訳を仕訳データテーブル１０６ｂに格納する（図５参照）。図５に示す配賦仕訳は、本説明における４月の配賦金額に基づいて作成された配賦仕訳である。
【００４０】
なお、各月の配賦処理は、バッチ処理により所定の日時（例えば月末など）に行われるように設定されていてもよい。
【００４１】
［ステップＳ２：累計作業時間及び累計間接費算出］
累計作業時間算出部１０２ｃは、配賦データテーブル１０６ａに格納されている各月の合計作業時間を参照して、４月から６月の期間中に全案件に費やした累計作業時間を算出し、算出した累計作業時間を配賦データテーブル１０６ａに格納する。また、累計作業時間算出部１０２ｃは、配賦データテーブル１０６ａに格納されている、各月で各案件に費やした作業時間を参照して、４月から６月の期間中に各案件に費やした累計作業時間を算出し、算出した累計作業時間を配賦データテーブル１０６ａに格納する。具体的には、累計作業時間算出部１０２ｃによる処理は、下記の通り行われる。
（４月から６月の期間中に全案件に費やした累計作業時間）
・４月から６月の累計作業時間：４５０（４月の合計作業時間「１００」と、５月の合計作業時間「１５０」と、６月の合計作業時間「２００」とを足し合わせて算出したもの）
（４月から６月の期間中に各案件に費やした累計作業時間）
・案件Ａの累計作業時間：１２０（４月の作業時間「４０」と、５月の作業時間「４０」と、６月の作業時間「４０」とを足し合わせて算出したもの）
・案件Ｂの累計作業時間：２１０（４月の作業時間「６０」と、５月の作業時間「７０」と、６月の作業時間「８０」とを足し合わせて算出したもの）
・案件Ｃの累計作業時間：１２０（５月の作業時間「４０」と、６月の作業時間「８０」とを足し合わせて算出したもの）
【００４２】
累計間接費算出部１０２ｄは、配賦データテーブル１０６ａに格納されている、各月に発生した部門間接費を参照して、４月から６月の期間中に発生した累計間接費を算出し、算出した累計間接費を配賦データテーブル１０６ａに格納する。具体的には、累計間接費算出部１０２ｄによる処理は、下記の通り行われる。
（累計間接費）
・累計間接費：￥５４，０００（各月で発生した部門間接費「￥１８，０００」を足し合わせて算出したもの）
【００４３】
［ステップＳ３：再配賦金額算出］
再配賦金額算出部１０２ｅは、ステップＳ２にて算出した累計間接費及び４月から６月の期間中に全案件に費やした累計作業時間を参照して、４月から６月の期間における案件に対する部門間接費の配賦単価（時間単価）を算出し、算出した時間単価を配賦データテーブル１０６ａに格納する。そして、再配賦金額算出部１０２ｅは、算出した上記時間単価及びステップＳ２にて算出した４月から６月の期間中に各案件に費やした累計作業時間を参照して、各案件の再配賦金額を算出し、算出した再配賦金額を配賦データテーブル１０６ａに格納する。具体的には、再配賦金額算出部１０２ｅによる処理は、下記の通り行われる。
（時間単価）
・時間単価：￥１２０（累計間接費「￥５４，０００」を４月から６月の期間中に全案件に費やした累計作業時間「４５０」で除することによって算出したもの）
（再配賦金額）
・案件Ａの再配賦金額：￥１４，４００（配賦単価「￥１２０」に案件Ａの累計作業時間「１２０」を掛けて算出したもの）
・案件Ｂの再配賦金額：￥２５，２００（配賦単価「￥１２０」に案件Ｂの累計作業時間「２１０」を掛けて算出したもの）
・案件Ｃの再配賦金額：￥１４，４００（配賦単価「￥１２０」に案件Ｃの累計作業時間「１２０」を掛けて算出したもの）
【００４４】
［ステップＳ４：差額計上］
差額計上部１０２ｆは、配賦データテーブル１０６ａに格納されている各月の配賦金額を参照して、４月から６月の期間における各案件の累計配賦金額を算出し、算出した累計配賦金額を配賦データテーブル１０６ａに格納する。そして、差額計上部１０２ｆは、ステップＳ３にて算出した各月の再配賦金額及び算出した上記累計配賦金額を参照して、再配賦金額と累計配賦金額の差額（配賦差額）し、算出した当該差額を配賦データテーブル１０６ａに格納する。具体的には、差額計上部１０２ｆによる処理は、下記の通り行われる。
（累計配賦金額）
・案件Ａの累計配賦金額：￥１５，６００（４月の案件Ａの配賦金額「￥７，２００」と、５月の案件Ａの配賦金額「￥４，８００」と、６月の案件Ａの配賦金額「￥３，６００」とを足し合わせて算出したもの）
・案件Ｂの累計配賦金額：￥２６，４００（４月の案件Ｂの配賦金額「￥１０，８００」と、５月の案件Ｂの配賦金額「￥８，４００」と、６月の案件Ｂの配賦金額「￥７，２００」とを足し合わせて算出したもの）
・案件Ｃの累計配賦金額：￥１２，０００（５月の案件Ｃの配賦金額「￥４，８００」と、６月の案件Ｃの配賦金額「￥７，２００」とを足し合わせて算出したもの）
（配賦差額）
・案件Ａの配賦差額：−￥１，２００（再配賦金額「￥１４，４００」から累計配賦金額「￥１５，６００」を引いたもの）
・案件Ｂの配賦差額：−￥１，２００（再配賦金額「￥２５，２００」から累計配賦金額「￥２６，４００」を引いたもの）
・案件Ｃの配賦差額：￥２，４００（再配賦金額「￥１４，４００」から累計配賦金額「￥１２，０００」を引いたもの）
【００４５】
［ステップＳ５：仕訳作成］
仕訳作成部１０２ｇは、正の金額に関する配賦差額を借方、負の金額に関する配賦差額を貸方として、差額に関する配賦差額仕訳を作成する（図５参照）。図５に示すように、本実施形態では、各月の配賦仕訳及び配賦差額仕訳（案件間の振替仕訳）のデータを作成することで、外部システム（例えば、会計システムなど）への連携データとしての仕訳データを作成することが可能となる。
【００４６】
なお、配賦差額仕訳の作成は、バッチ処理により所定の日時（例えば任意の期間の末日など）に行われるように設定されていてもよい。
【００４７】
以上の処理により、本実施形態では、これまでの月次の配賦処理と任意の期間における再配賦それぞれを同時に満たすことが可能であり、月次決算における早期の収支把握と年次決算における正確な原価・収支把握を同時に満たすことが可能となる（図６参照）。
【００４８】
以上で、［３．処理の具体例］の説明を終了する。
【００４９】
［４．本実施形態のまとめ及び他の実施形態］
以上説明したように、本実施形態では、（１）複数の案件（例えば、案件Ａ、案件Ｂ及び案件Ｃ）と紐付く製造部門に対し、例えば４月から６月の各月で発生した部門間接費を、各月で各案件に費やした作業時間に応じて各案件に配賦金額を配賦する処理と、（２）製造部門に対し、例えば４月から６月の期間中に発生する累計間接費を、各月で発生した部門間接費を集計することで算出すると共に、例えば４月から６月の期間中に各案件に費やした累計作業時間を、各月の作業時間を案件毎に集計することで算出し、そして、算出した累計間接費を、算出した案件毎の累計作業時間に応じて各案件に再配賦金額を配賦する処理と、（３）例えば４月から６月の期間に各案件に配賦する累計配賦金額を、各月毎に配賦した配賦金額を案件毎に集計することで算出し、算出した累計配賦金額と、配賦した再配賦金額との差額を案件毎に算出する処理と、（４）案件毎の累計配賦金額と、再配賦金額との差額に基づいて、案件間の振替仕訳を作成する処理と、を行う。
【００５０】
なお、本実施形態では、部門間接費の案件配賦を実施例としているが、例えば、以下の（Ａ）及び（Ｂ）に示す例のように、他業務（分野）への応用も可能と考える。
（Ａ）管理会計における全社経費の各事業所・部門への配賦処理
本実施形態同様に、製造部門間によって繁忙期・閑散期が重なっておらず違っている場合、部門費用の偏りが生じ、部門業績への影響が考えられる。したがって、本実施形態の「間接費」を「全社経費」に置き換え、さらに、本実施形態の「部門」を「事業所・部門」に置き換えた場合、部門費用の偏りの解消が可能と考える。
（Ｂ）製造業における製造経費への配賦処理
製造業においても、毎月同額の製造機械や工場の原価償却費が発生している。したがって、本実施形態の「間接費」を「製造経費」に置き換え、さらに、本実施形態の「案件」を「製品」に置き換えた場合、製造時期に応じた製品ごとの原価もならすことが可能と考える。
【００５１】
また、例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００５２】
また、本明細書中や図面中で示した処理手順、制御手順、具体的名称、各処理の登録データや検索条件等のパラメータを含む情報、画面例、データベース構成については、特記する場合を除いて任意に変更することができる。
【００５３】
また、配賦処理装置１００に関して、図示の各構成要素は機能概念的なものであり、必ずしも物理的に図示の如く構成されていることを要しない。
【００５４】
例えば、配賦処理装置１００が備える処理機能、特に制御部にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて配賦処理装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００５５】
また、このコンピュータプログラムは、配賦処理装置１００に対して任意のネットワークを介して接続されたアプリケーションプログラムサーバに記憶されていてもよく、必要に応じてその全部または一部をダウンロードすることも可能である。
【００５６】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００５７】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【００５８】
記憶部に格納される各種のデータベース等は、ＲＡＭ、ＲＯＭ等のメモリ装置、ハードディスク等の固定ディスク装置、フレキシブルディスク、及び、光ディスク等のストレージ手段であり、各種処理やウェブサイト提供に用いる各種のプログラム、テーブル、データベース、及び、ウェブページ用ファイル等を格納する。
【００５９】
また、配賦処理装置１００は、既知のパーソナルコンピュータまたはワークステーション等の情報処理装置として構成してもよく、また、任意の周辺装置が接続された当該情報処理装置として構成してもよい。また、配賦処理装置１００は、当該装置に本実施形態で説明した処理を実現させるソフトウェア（プログラムまたはデータ等を含む）を実装することにより実現してもよい。
【００６０】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００６１】
本発明は、特に、工事業界・コンサル業界・ＩＴ業界などにおいて有用である。
【符号の説明】
【００６２】
１００  配賦処理装置
１０２  制御部
１０２ａ  合計作業時間算出部
１０２ｂ  配賦金額算出部
１０２ｃ  累計作業時間算出部
１０２ｄ  累計間接費算出部
１０２ｅ  再配賦金額算出部
１０２ｆ  差額計上部
１０２ｇ  仕訳作成部
１０４  通信インターフェース部
１０６  記憶部
１０６ａ  配賦データテーブル
１０６ｂ  仕訳データテーブル
１０８  入出力インターフェース部
１１２  入力装置
１１４  出力装置
２００  サーバ
３００  ネットワーク
【図１】
0006765880.tif 000002
【図２】
0006765880.tif 000003
【図３】
0006765880.tif 000004
【図４】
0006765880.tif 000005
【図５】
0006765880.tif 000006
【図６】
0006765880.tif 000007